(57)【要約】【課題】低コストでロータの抜け止めを確実に防止するディスク装置を提供する。【解決手段】板ばね２６は、スピンドルモータ６寄りの指部２３ａの上表面に延在しかつ光ピックアップ２０が光ディスクＭの最内位置に停止したときに帽子型ロータ９の第１鍔部９ａの上部空間１１に到達する突起部２６ａを一体に有している。突起部２６ａの先端部分は矢印Ｃ方向に回転する帽子型ロータ９の外周面から離れる方向に屈曲している。ディスク装置１に対して過度の振動や落下等の衝撃が加わったときに帽子型ロータ９が浮いても、第１鍔部９ａが板ばね２６の突起部２６ａの先端部分に当接する。【選択図】        図５
2004220645.tif 000002
【特許請求の範囲】
【請求項１】
光ディスクを回転させる回転手段と、該回転手段により回転する前記光ディスクに記録された信号を読み取る光ピックアップと、該光ピックアップを前記光ディスクの径方向に往復移動させる直線移動手段と、前記回転手段の外側に径方向外方へ突出する第１鍔部と、前記光ピックアップに設けられかつ該光ピックアップが前記光ディスクの最内位置に停止しているときに前記第１鍔部の上部空間に到達する突起部を有する板ばねとを備えたディスク装置。
【請求項２】
板ばねの突起部は第１鍔部の上部に当接することを特徴とする請求項１記載のディスク装置。
【請求項３】
光ディスクを載置するターンテーブルと、該ターンテーブルを回転させる回転手段と、該回転手段により回転する前記光ディスクに記録された信号を読み取る光ピックアップと、該光ピックアップを前記光ディスクの径方向に往復移動させる直線移動手段と、前記ターンテーブルの外側に径方向外方へ突出する第２鍔部と、前記光ピックアップに設けられかつ該光ピックアップが前記光ディスクの最内位置に停止しているときに前記第２鍔部の上部空間に到達する突起部を有する板ばねとを備えたディスク装置。
【請求項４】
板ばねの突起部は第２鍔部の上部に当接することを特徴とする請求項３記載のディスク装置。
【発明の詳細な説明】
【０００１】
【発明の属する技術分野】
この発明は、コンパクトディスク（ＣＤ）やデジタルバーサタイルディスク（ＤＶＤ）等の光学式ディスク状記録媒体（以下、光ディスクという）に記録された信号を読み取るディスク装置に関するものである。
【０００２】
【従来の技術】
従来のディスク装置としては、光ディスクを載置するターンテーブルと、このターンテーブル上に載置された光ディスクの中央部分を記録再生時に把持するクランパと、上記ターンテーブルを回転させるスピンドルモータと、このスピンドルモータにより回転する光ディスクの記録層に記録された信号を読み取る光ピックアップと、この光ピックアップを光ディスクの径方向に往復移動させる直線移動手段とを備えた構成が知られている。
【０００３】
従来のディスク装置では、内部にスペースの余裕があれば、ある程度の厚さ（回転軸方向）を有するスピンドルモータの使用も許される。このようなスピンドルモータにはロータの回転軸方向への抜けを防止する抜け止め機構が設けられている。
【０００４】
ところで、ディスク装置に対しては、近時、例えば車載スペースの関係から薄型化の要求が高い。このような要求に応えるために、薄型のスピンドルモータが開発されている。このスピンドルモータは、回転軸と、この回転軸の軸受部分の外側から径方向外方へ放射状に延びかつそれぞれコイルが巻回された複数の鉄芯を有するステータと、このステータの上に覆い被さる有底筒状の帽子型ロータとから概略構成されている。この帽子型ロータはステータ側に磁気吸引力で保持されており、電磁誘導により回転可能である。
【０００５】
ところが、上記薄型のスピンドルモータ内には、ロータの回転軸方向への抜けを防止する抜け止め機構を設置するスペースがない。また、上記スピンドルモータの上部には記録再生時以外では常にクランパとターンテーブルとの間にディスク搬送用の隙間が存在する。このため、ディスク装置に対して過度の振動や落下等の衝撃が加わると、ロータがその回転軸方向の上方へ抜けてしまい、記録再生動作不良という事態に陥るおそれがある。
【０００６】
これに対して、従来のディスク装置では、抜け止め専用の別部材が新たに配設されている（例えば、特許文献１参照）。
【０００７】
また、従来のディスク装置では、記録再生状態から光ディスクを排出するイジェクト状態へ切り換えられると、スピンドルモータに逆電流を流して光ディスクの回転を急停止させている。しかし、この急停止動作はスピンドルモータの寿命を落とす可能性がある。
【０００８】
【特許文献１】
特開平９−１２８８８０号公報（図１および図３）
【０００９】
【発明が解決しようとする課題】
従来のディスク装置は上述のような構成を有しているので、ロータの抜け止め機構として抜け止め専用の別部材を設けると、部品点数や組立工数の増加によるコストが大幅に上昇するという課題があった。
【００１０】
この発明は上記のような課題を解決するためになされたもので、低コストでロータの抜け止めを確実に防止するディスク装置を得ることを目的とする。
【００１１】
また、この発明は記録再生状態からイジェクト状態へ切り換えられてもスピンドルモータに逆電流を流すことなくスピンドルモータを確実に急停止できるディスク装置を得ることを目的とする。
【００１２】
【課題を解決するための手段】
この発明に係るディスク装置は、光ディスクを回転させる回転手段と、該回転手段により回転する前記光ディスクに記録された信号を読み取る光ピックアップと、該光ピックアップを前記光ディスクの径方向に往復移動させる直線移動手段と、前記回転手段の外側に径方向外方へ突出する第１鍔部と、前記光ピックアップに設けられかつ該光ピックアップが前記光ディスクの最内位置に停止しているときに前記第１鍔部の上部空間に到達する突起部を有する板ばねとを備えるように構成したものである。
【００１３】
【発明の実施の形態】
以下、この発明の実施の一形態を説明する。
実施の形態１．
図１はこの発明の実施の形態１によるディスク装置の外部構成を示す概略斜視図であり、図２は図１に示したディスク装置の内部構成であって光ディスクのイジェクト状態を示す概略斜視図であり、図３は図１および図２に示したディスク装置の内部構成であって光ディスクの記録再生状態を示す概略斜視図であり、図４は図１から図３に示したディスク装置の要部を拡大して示す概略斜視図であり、図５は図１から図４に示したディスク装置の回転手段に対する板ばねの突起部の動作を示す模式的平面図であり、図６は図１から図４に示したディスク装置の回転手段に対する板ばねの突起部の動作を示す模式的正面図である。なお、図１から図３までの各図面については左斜め手前側を前方とし、右斜め後側を後方とする。また、図４および図５の各図面については右斜め手前側を前方とし、左斜め後側を後方とする。さらに、図６については右側を前方とし、左側を後方とする。
【００１４】
ディスク装置１は函状のシャーシ２を有している。シャーシ２の前面には、図１に示すように光ディスクＭの挿入または排出を行うスロット３が設けられている。また、シャーシ２の内部には、図２から図４に示すようにベース板金５が配設されている。このベース板金５には、スピンドルモータ（回転手段）６が配設されている。
【００１５】
スピンドルモータ６は、図６に示すように、回転軸７と、この回転軸７を回転可能に支持する軸受部８と、上記ベース板金５上に配設されたステータ（図示せず）と、このステータ（図示せず）の上に覆い被さる有底筒状の帽子型ロータ９とから概略構成されている。上記ステータ（図示せず）は、軸受部分（図示せず）と、この軸受部分の外周から径方向外方へ放射状に延びかつそれぞれコイル（図示せず）が巻回された複数の鉄芯（図示せず）と、これら各鉄芯の最外部に設けられかつ周方向に延びて上記帽子型ロータ９の回転運動を案内する円弧状のガイド部（図示せず）とから概略構成されている。この帽子型ロータ９はステータ（図示せず）側に磁気吸引力で保持されており、電磁誘導により回転可能である。
【００１６】
帽子型ロータ９の上部には、光ディスクＭを載置するターンテーブル１０が回転軸７を介して一体に固定されており、このターンテーブル１０は帽子型ロータ９と同期回転可能である。また、帽子型ロータ９の外周面には、図６に示すように、径方向外方へ突出しかつ周方向に連続する第１鍔部９ａが形成されており、この第１鍔部９ａの上部には帽子型ロータ９の外周面に沿う上部空間１１が形成されている。
【００１７】
ターンテーブル１０の上部には、例えば図２および図３に示すように、光ディスクＭの中央部分を把持するクランパ１２が配設されており、このクランパ１２は該クランパをターンテーブル１０側へ押圧可能な加圧アーム１３の先端部に揺動可能に固定されている。
【００１８】
また、ベース板金５には、スピンドルモータ６に隣接する位置に内部スペース１４が設けられており、この内部スペース１４内には、図４に示すように、スピンドルモータ６側に向けて互いに平行なスクリューシャフト（直接移動手段）１５とガイドシャフト（直接移動手段）１６とが配設されている。スクリューシャフト１５は螺子溝１５ａが連続して形成された外表面を有しており、その一端は軸受部１７に回転可能に支持され、他端は動力伝達ギア連（直接移動手段）１８を介して駆動モータ（直接移動手段）１９に接続されている。
【００１９】
スクリューシャフト１５およびガイドシャフト１６には矢印Ａ方向および矢印Ｂ方向に摺動自在に光ピックアップ２０が配設されている。光ピックアップ２０は、ベース板金５上に配設された発光ダイオード等の光源（図示せず）からの光を集光して得られたビーム光を光ディスクＭの記録層（図示せず）に照射する対物レンズ（図示せず）と、この対物レンズ（図示せず）に対してフォーカス動作やトラッキング動作を行うフォーカス・トラッキング制御機構（図示せず）とを内蔵する筐体２１と、この筐体２１のスクリューシャフト１５側に形成されかつスクリューシャフト１５の挿通を許す貫通孔２２を有する第１腕部２３と、上記筐体２１のガイドシャフト１６側に形成されかつガイドシャフト１６の挿通を許す貫通孔２４を有する第２腕部２５とから概略構成されている。第１腕部２３はスクリューシャフト１５の軸方向に離間する２つの指部２３ａを有しており、両指部２３ａ間には第１腕部２３に取り付けられかつスクリューシャフト１５の螺子溝１５ａに押圧されて係合する凸部（図示せず）を有する板ばね２６が配設されている。
【００２０】
板ばね２６は、スピンドルモータ６寄りの指部２３ａの上表面に延在しかつ光ピックアップ２０が最もスピンドルモータ６に近接する位置（光ディスクＭの最内位置）に停止したときに帽子型ロータ９の第１鍔部９ａの上部空間１１に到達する突起部２６ａを一体に有している。突起部２６ａの先端部分は、図５に示すように矢印Ｃ方向に回転する帽子型ロータ９の外周面から離れる方向に屈曲しており、これにより機械的強度が高められている。
【００２１】
次に動作について説明する。
まず、ディスク装置１では、記録再生時を除いて、光ピックアップ２０が光ディスクＭの最内位置に停止する。このとき、光ピックアップ２０に配設された板ばね２６の突起部２６ａの先端部分が帽子型ロータ９の第１鍔部９ａの上部空間１１に到達している。一方、記録再生時を除いて、スピンドルモータ６の上部にはクランパ１２とターンテーブル１０との間にディスク搬送用の隙間が存在する。
【００２２】
ここで、ディスク装置１に対して過度の振動や落下等の衝撃が加わると、帽子型ロータ９がターンテーブル１０と共に回転軸方向の上方、即ち上記隙間側へ浮く可能性がある。帽子型ロータ９が浮いても、第１鍔部９ａが板ばね２６の突起部２６ａの先端部分に当接するため、帽子型ロータ９の抜けが確実に防止される。
【００２３】
以上のように、この実施の形態１によれば、光ピックアップ２０が光ディスクＭの最内位置に停止しているときに帽子型ロータ９の第１鍔部９ａの上部空間１１に到達する突起部２６ａを板ばね２６に備えるように構成したので、ディスク装置１に対して過度の振動や落下等の衝撃が加わったときに帽子型ロータ９が浮いても、第１鍔部９ａが板ばね２６の突起部２６ａの先端部分に当接するため、帽子型ロータ９の抜けを確実に防止することができるという効果がある。
【００２４】
この実施の形態１では、帽子型ロータ９の抜け止め機構として板ばね２６を利用するように構成したので、従来のように抜け止め専用の別部材を設ける必要がなく、部品点数や組立工数の増加によるコスト増を抑制して低コスト化を図ることができるという効果がある。
【００２５】
実施の形態２．
図７はこの発明の実施の形態２によるディスク装置の回転手段に対する板ばねの突起部の動作を示す模式的正面図である。なお、この実施の形態２の構成要素のうち、実施の形態１の構成要素と共通する部分については同一符号を付し、その部分の説明を省略する。また、図７の右側を前方とし、左側を後方とする。
【００２６】
この実施の形態２の特徴は、記録再生状態からイジェクト状態へ切り換えられた場合に帽子型ロータ９の第１鍔部９ａの上部に当接する突起部２６ａを板ばね２６に備えた点にある。
【００２７】
次に動作について説明する。
まず、記録再生時においては、光ピックアップ２０は駆動モータ１９により矢印Ａ方向および矢印Ｂ方向に往復移動して光ディスクＭに対して記録再生を行う。この記録再生状態から光ディスクＭを排出するイジェクト状態に切り換えられた場合には、スピンドルモータ６への通電を停止すると共に、光ピックアップ２０を駆動モータ１９により矢印Ａ方向に急遽移動させて光ディスクＭの最内位置まで戻して、板ばね２６の突起部２６ａの先端部分を帽子型ロータ９の第１鍔部９ａの上部に当接させる。これにより、スピンドルモータ９に対して逆電流を流して行う従来の急停止動作を行うことなく、スピンドルモータ９を確実に停止させる。
【００２８】
以上のように、この実施の形態２によれば、記録再生状態からイジェクト状態へ切り換えられた場合に帽子型ロータ９の第１鍔部９ａの上部に当接する突起部２６ａを板ばね２６に備えるように構成したので、記録再生状態からイジェクト状態へ切り換えられてもスピンドルモータ９に逆電流を流すことなくスピンドルモータ９を確実に急停止させることができるという効果がある。これにより、スピンドルモータ９の長寿命化を図ることができるという効果がある。
【００２９】
実施の形態３．
図８はこの発明の実施の形態３によるディスク装置の要部を拡大して示す概略斜視図であり、図９は図８に示したディスク装置の回転手段に対する板ばねの突起部の動作を一部断面視して示す模式的正面図である。なお、この実施の形態３の構成要素のうち、実施の形態１等の構成要素と共通する部分については同一符号を付し、その部分の説明を省略する。また、図８については右斜め手前側を前方とし、左斜め後側を後方とする。さらに、図９については右側を前方とし、左側を後方とする。
【００３０】
この実施の形態３の特徴は、実施の形態１および実施の形態２において帽子型ロータ９の外周面に第１鍔部９ａを形成することに代えて、帽子型ロータ９に回転軸７を介して一体に固定されたターンテーブル１０の外周面に、径方向外方へ突出しかつ周方向に連続する第２鍔部１０ａを形成した点にある。即ち、第２鍔部１０ａの上部には、光ピックアップ２０が光ディスクＭの最内位置に停止しているときに光ピックアップ２０に配設された板ばね２６の突起部２６ａが到達する上部空間２７が形成されている。
【００３１】
次に動作について説明する。
まず、ディスク装置１では、記録再生時を除いて、光ピックアップ２０が光ディスクＭの最内位置に停止する。このとき、光ピックアップ２０に配設された板ばね２６の突起部２６ａの先端部分がターンテーブル１０の第２鍔部１０ａの上部空間２７に到達している。一方、記録再生時を除いて、スピンドルモータ６の上部にはクランパ１２とターンテーブル１０との間にディスク搬送用の隙間が存在する。
【００３２】
ここで、ディスク装置１に対して過度の振動や落下等の衝撃が加わると、ターンテーブル１０が帽子型ロータ９と共に回転軸方向の上方、即ち上記隙間側へ浮く可能性がある。ターンテーブル１０が浮いても、第２鍔部１０ａが板ばね２６の突起部２６ａの先端部分に当接するため、ターンテーブル１０と一体に固定された帽子型ロータ９の抜けが確実に防止される。
【００３３】
以上のように、この実施の形態３によれば、光ピックアップ２０が光ディスクＭの最内位置に停止しているときにターンテーブル１０の第２鍔部１０ａの上部空間２７に到達する突起部２６ａを板ばね２６に備えるように構成したので、ディスク装置１に対して過度の振動や落下等の衝撃が加わったときにターンテーブル１０が浮いても、第２鍔部１０ａが板ばね２６の突起部２６ａの先端部分に当接するため、ターンテーブル１０とこれと一体に固定された帽子型ロータ９の抜けを確実に防止することができるという効果がある。
【００３４】
実施の形態４．
図１０はこの発明の実施の形態４によるディスク装置の回転手段に対する板ばねの突起部の動作を一部断面視して示す模式的正面図である。なお、この実施の形態４の構成要素のうち、実施の形態１等の構成要素と共通する部分については同一符号を付し、その部分の説明を省略する。また、図１０の右側を前方とし、左側を後方とする。
【００３５】
この実施の形態４の特徴は、記録再生状態からイジェクト状態へ切り換えられた場合にターンテーブル１０の第２鍔部１０ａの上部に当接する突起部２６ａを板ばね２６に備えた点にある。
【００３６】
次に動作について説明する。
まず、記録再生時においては、光ピックアップ２０は駆動モータ１９により矢印Ａ方向および矢印Ｂ方向に往復移動して光ディスクＭに対して記録再生を行う。この記録再生状態から光ディスクＭを排出するイジェクト状態に切り換えられた場合には、スピンドルモータ６への通電を停止すると共に、光ピックアップ２０を駆動モータ１９により矢印Ａ方向に急遽移動させて光ディスクＭの最内位置まで戻して、板ばね２６の突起部２６ａの先端部分をターンテーブル１０の第２鍔部１０ａの上部に当接させる。これにより、ターンテーブル１０と一体に固定されたスピンドルモータ６に対して逆電流を流して行う従来の急停止動作を行うことなく、スピンドルモータ６を確実に停止させる。
【００３７】
以上のように、この実施の形態４によれば、記録再生状態からイジェクト状態へ切り換えられた場合にターンテーブル１０の第２鍔部１０ａの上部に当接する突起部２６ａを板ばね２６に備えるように構成したので、記録再生状態からイジェクト状態へ切り換えられてもスピンドルモータ６に逆電流を流すことなくスピンドルモータ６を確実に急停止させることができるという効果がある。これにより、スピンドルモータ６の長寿命化を図ることができるという効果がある。
【００３８】
【発明の効果】
以上のように、この発明によれば、光ディスクを回転させる回転手段と、該回転手段により回転する前記光ディスクに記録された信号を読み取る光ピックアップと、該光ピックアップを前記光ディスクの径方向に往復移動させる直線移動手段と、前記回転手段の外側に径方向外方へ突出する第１鍔部と、前記光ピックアップに設けられかつ該光ピックアップが前記光ディスクの最内位置に停止しているときに前記第１鍔部の上部空間に到達する突起部を有する板ばねとを備えるように構成したので、ディスク装置に対して過度の振動や落下等の衝撃が加わったときに回転手段のロータが浮いても、第１鍔部が板ばねの突起部の先端部分に当接するため、回転手段のロータの抜けを確実に防止することができるという効果がある。また、ロータの抜け止め機構として板ばねを利用するように構成したので、従来のように抜け止め専用の別部材を設ける必要がなく、部品点数や組立工数の増加によるコスト増を抑制して低コスト化を図ることができるという効果がある。
【図面の簡単な説明】
【図１】この発明の実施の形態１によるディスク装置の外部構成を示す概略斜視図である。
【図２】図１に示したディスク装置の内部構成であって光ディスクのイジェクト状態を示す概略斜視図である。
【図３】図１および図２に示したディスク装置の内部構成であって光ディスクの記録再生状態を示す概略斜視図である。
【図４】図１から図３に示したディスク装置の要部を拡大して示す概略斜視図である。
【図５】図１から図４に示したディスク装置の回転手段に対する板ばねの突起部の動作を示す模式的平面図である。
【図６】図１から図４に示したディスク装置の回転手段に対する板ばねの突起部の動作を示す模式的正面図である。
【図７】この発明の実施の形態２によるディスク装置の回転手段に対する板ばねの突起部の動作を示す模式的正面図である。
【図８】この発明の実施の形態３によるディスク装置の要部を拡大して示す概略斜視図である。
【図９】図８に示したディスク装置の回転手段に対する板ばねの突起部の動作を一部断面視して示す模式的正面図である。
【図１０】この発明の実施の形態４によるディスク装置の回転手段に対する板ばねの突起部の動作を一部断面視して示す模式的正面図である。
【符号の説明】
１  ディスク装置、２  シャーシ、３  スロット、５  ベース板金、６  スピンドルモータ（回転手段）、７  回転軸、８  軸受部、９  帽子型ロータ、９ａ第１鍔部、１０  ターンテーブル、１０ａ  第２鍔部、１１  上部空間、１２クランパ、１３  加圧アーム、１４  内部スペース、１５  スクリューシャフト（直接移動手段）、１６  ガイドシャフト（直接移動手段）、１７  軸受部（直接移動手段）、１８  動力伝達ギア連（直接移動手段）、１９  駆動モータ（直接移動手段）、２０  光ピックアップ、２１  筐体、２２  貫通孔、２３  第１腕部、２３ａ  指部、２４  貫通孔、２５  第２腕部、２６  板ばね、２６ａ突起部、２７  上部空間、Ｍ  光ディスク。
【図１】
2004220645.tif 000003
【図２】
2004220645.tif 000004
【図３】
2004220645.tif 000005
【図４】
2004220645.tif 000006
【図５】
2004220645.tif 000007
【図６】
2004220645.tif 000008
【図７】
2004220645.tif 000009
【図８】
2004220645.tif 000010
【図９】
2004220645.tif 000011
【図１０】
2004220645.tif 000012